(57)【要約】移動電話（１）のような電子装置に、物理データ・キャリア（１０）からデータを読み取るためのリーダ（２１）が設けられる。物理データ・キャリアは、例えば電話搬送ケースのようなデバイス・アクセサリに組み込まれる。そのケースに電話（１）を挿入する動作により、リーダ（２１）にデータ・キャリア（１０）からのデータを読み取らせ、そのデータを利用して電子装置に関する必要な装置設定を実行する。データ・キャリアは、バー・コード、ＲＦタグまたは接触タグであり得る。複数の搬送ケースを自身のデータ・キャリア（１０）に用意することによって、単なるケースの交換が、選択されるべき複数の関連装置の設定を導入する。各ケースは特定の環境に関連付けることが可能であり、又は、ユーザの状況がそのユーザに対して、搬送ケースを単に交換することによってその状況に対応するために装置の動作を変更させることを可能にする。また、自動車電話セットおよびバッテリ・チャージャのような他のアクセサリにデータ・キャリアを設けて、それに従って装置の動作を変更することも可能である。装置の設定は、装置がデータ配信サービスにより情報を受信する際に、そのユーザに関連するデータの形式を管理するものを包含する。
2004506357.tif 000002
【特許請求の範囲】
【請求項１】
相互電子装置の少なくとも１つの動作設定を実行する装置であって：
物理データ・キャリアから情報を読み取る読み取り手段；
前記読み取り手段により前記キャリアから読み取った前記情報を受信し、読み取った情報を分析する処理手段；および
前記処理手段に応答し、前記少なくとも１つの動作設定を実行する制御手段；
を有することを特徴とする装置。
【請求項２】
前記情報が、必要とされる前記少なくとも１つの動作設定を指定するデータを有することを特徴とする請求項１記載の装置。
【請求項３】
前記情報がデータ・キャリア識別情報を含むことを特徴とする請求項１記載の装置。
【請求項４】
更に、前記データ・キャリア識別情報を前記必要とされる少なくとも１つの動作設定に関連付ける関連付け手段を有し、前記処理手段による前記キャリア識別情報の受信が、前記装置設定の少なくとも１つの実行を開始させることを特徴とする請求項３記載の装置。
【請求項５】
前記物理データ・キャリアが無線周波数識別子（ＲＦＩＤ）タグであり、前記読み取り手段がそのタグを問い合わせるよう形成されることを特徴とする請求項１ないし４の何れか１項に記載の装置。
【請求項６】
前記物理データ・キャリアが情報を搬送するグラフィック・パターンを有し、前記読み取り手段が前記パターンを読み取るよう形成されることを特徴とする請求項１ないし５の何れか１項に記載の装置。
【請求項７】
前記物理データ・キャリアが接触タグの形式で設けられ、前記読み取り手段がそのタグからの情報を読み取るよう形成されることを特徴とする請求項１ないし４の何れか１項に記載の装置。
【請求項８】
前記物理データ・キャリアが前記相互電子装置に使用可能なアクセサリに組み込まれることを特徴とする請求項１ないし７の何れか１項に記載の装置。
【請求項９】
前記物理データ・キャリアが前記相互電子装置を収容するカバーまたはポーチに、装置の電源供給部に、装置のバッテリ充電装置に、又はハンズ・フリー電話キット、自動車電話変換キット若しくはユーザの衣服により搬送される装置アクセス選択配置に組み込まれることを特徴とする請求項１ないし８の何れか１項に記載の装置。
【請求項１０】
当該装置が、到来する電話の呼のユーザ報知設定、グラフィック・ユーザ・インターフェース（ＧＵＩ）設定、音声ダイヤル選択、メッセージ再生設定、電話利用アクセス許否および電話ユーザ・ディレクトリ設定および入力を含む装置の設定を選択するよう形成されることを特徴とする請求項１ないし８の何れか１項に記載の装置。
【請求項１１】
当該装置が、押下式データ配信サービスで利用可能な到来する情報を選択的に選別する設定を含む装置の設定を選択するよう形成されることを特徴とする請求項１ないし１０の何れか１項に記載の装置。
【請求項１２】
更に、物理データ・キャリアに情報を書き込む書き込み手段を有し、前記情報が、前記物理データ・キャリアを前記相互電子装置の少なくとも１つの動作設定に関連付けることを支援することを特徴とする請求項１ないし１１の何れか１項に記載の装置。
【請求項１３】
請求項１ないし１２の何れか１項に記載の装置において使用される物理データ・キャリアであって、前記装置の前記少なくとも１つの動作設定が実行されることに対応する情報を搬送することを特徴とする物理データ・キャリア。
【請求項１４】
請求項１ないし１２の何れか１項に記載の装置において使用される物理データ・キャリアを組み込む相互電子装置アクセサリであって、前記データ・キャリアが、前記装置の前記少なくとも１つの動作設定が実行されることに対応する情報を搬送することを特徴とする相互電子装置アクセサリ。
【請求項１５】
請求項１ないし１２の何れか１項に記載の装置および請求項１３記載の物理データ・キャリアを組み込むことを特徴とするシステム。
【請求項１６】
装置により実行される少なくとも１つの動作設定を有する相互電子デバイスであって、前記装置が：
物理データ・キャリアから情報を読み取る読み取り手段；
前記読み取り手段により前記キャリアから読み取った前記情報を受信し、読み取った情報を分析する処理手段；および
前記処理手段に応答し、前記少なくとも１つの動作設定を実行する制御手段；
を有することを特徴とする相互電子デバイス。
【請求項１７】
相互電子デバイスの少なくとも１つの動作設定を実行する方法であって：
物理データ・キャリアから情報を読み取るステップ；
前記物理データ・キャリアから読み取った前記情報を処理し、読み取った情報を分析するステップ；および
分析した情報に応答して、前記相互電子デバイスの前記少なくとも１つの動作設定を実行するステップ
より成ることを特徴とする方法。
【発明の詳細な説明】
【０００１】
本発明は、携帯電話機およびパーソナル・ディジタル支援装置のような電子装置の様々な設定を制御する装置および方法に関連し、およびそのような装置にも関連する。
【０００２】
携帯電話機およびパーソナル・ディジタル支援装置のような装置に関するこれまでの多機能化により、機能を実行する装置の数および選択することの可能なユーザ設定も対応して増加している。そのような多数の装置設定を制御してユーザを支援する様々な試みには、ユーザがナビゲートすることの可能な階層式メニュー構造に設定機能を配列することが含まれる。そのようなメニューを利用すると、同様な種類の設定を一緒にグループ化することを可能にし、頻繁に変更される傾向にある設定をメニュー構造の上位に配置し、より迅速にそれらに到達可能にすることが可能である。
【０００３】
装置に関するユーザの状況に依存して、特定の装置設定が好ましい場合がある。例えば、移動電話機のユーザが勤務中である場合に、そのユーザは勤務に関連した呼を受信することにのみ関心があり、勤務に関連しない呼は、呼の到来報知信号を生じないようにすべきであり、および／またはそのような呼はメッセージ応答サービスに切り替えられるべきである。呼が勤務に関連しているがユーザが会議中であるような場合は、呼の到来報知信号は、その会議に参加している他の人々を妨害しない種類のものであるべきである。このような例では、通常の可聴報知ではなく、呼の到来報知信号を視覚的報知または振動報知に設定することが望ましい。
【０００４】
所与のユーザの状況に関して、特定の装置設定を、ユーザがその状況でそれらを見出す毎に、行なうのが望ましいことは明白である。さらに、ユーザがその状況でそれらを見出す毎に、一群のそのような特定の装置設定をすることが望ましい。
【０００５】
特定の環境における使用のために装置を構築する作業を行なって、移動電話装置の利用を支援するために、「会議中」または「外出」のような状況に対するリファレンスによってラベル付けされる選択肢を選択することによって、呼の到来報知形式の装置設定をユーザが変更し得るようにする機能を、その装置に提供することが知られている。例えば、「外出」を選択すると、呼の到来報知が、より高い音量の設定で可聴報知トーンが発生するようにすることが可能である。一般に、比較的簡潔な形式で利用可能な選択肢のリストにアクセスする方法を提供することによって、そのような選択を行なう作業においてユーザは支援され、例えば、専用のキー押印シーケンスを利用することによって、又は段階的なメニュー構造内でその選択肢を深い場所に配置しないことによって行なわれる。所定の装置設定を報知する手法にはいくつかの方法があり、ユーザの装置を動作させる方法を変更する作業におけるユーザを支援する一方、ユーザがユーザ・インターフェースをナビゲートし、ユーザが装置を特定の状況のために設定しようとする毎に必要な設定を行わせるようにする要請がある。
【０００６】
本発明は、移動テレコミュニケーション装置のような電子装置の１つ又はそれ以上の設定を制御する方法を提供することを目的とし、それはユーザが容易に理解して実行することの可能なものである。
【０００７】
本発明の第１形態により提供される装置は、相互（ｉｎｔｅｒａｃｔｉｖｅ）電子装置の少なくとも１つの動作設定を実行する装置であって：
物理データ・キャリアから情報を読み取る読み取り手段；
前記読み取り手段により前記キャリアから読み取った前記情報を受信し、読み取った情報を分析する処理手段；および
前記処理手段に応答し、前記少なくとも１つの動作設定を実行する制御手段；
を有することを特徴とする装置である。
【０００８】
物理データ・キャリアを読み取り手段に提供することによって、装置は、装置のグラフィック・ユーザ・インターフェースをナビゲーションする通常のシーケンスまたは実行されるのに必要な設定の度に、ユーザが実行することを要せずに、装置の少なくとも１つの動作設定を実行することを支援する。装置自身に読み取り手段を包含させることによって、物理データ・キャリアを装置に提供することによって、少なくとも１つの動作設定が行なわれる。
【０００９】
データ・キャリアで搬送される情報は、必要とされる少なくとも１つの装置設定自身を指定するデータを有し得る。
【００１０】
データ・キャリアで搬送される情報は、データ・キャリア識別情報を含み得る。
【００１１】
この場合、装置は、更に、前記データ・キャリア識別情報を前記必要とされる少なくとも１つの動作設定に関連付ける関連付け手段を有し、前記処理手段による前記キャリア識別情報の受信が、前記装置設定の少なくとも１つの実行を開始させる。関連付け手段は、各データ・キャリア識別子を、装置設定に対応する少なくとも１つにリンクするデータを保持する格納手段を有し得る。格納手段は相互電子デバイスに設けられ得る。
【００１２】
物理データ・キャリアが無線周波数識別子（ＲＦＩＤ）タグであり、前記読み取り手段がそのタグを問い合わせるよう形成されることが可能である。装置が既に無線伝送および受信装置を包含している場合に、例えば移動テレコミュニケーション装置である場合に、既存の無線伝送および受信装置は読み取り手段としても提供され得る。
【００１３】
物理データ・キャリアは、情報を搬送するバー・コードのようなグラフィック・パターンを有し、この場合における読み取り手段はそのようなグラフィック・タグを読み取るよう形成され得る。
【００１４】
物理データ・キャリアは、接触タグの形式で設けられ、前記読み取り手段がそのタグからの情報を読み取るよう形成され得る。
【００１５】
物理データ・キャリアは、前記相互電子装置に使用可能なアクセサリに組み込まれ得る。
【００１６】
物理データ・キャリアを、相互電子装置を収容するのに適したカバー又はポーチのような要素に設けることが可能である。したがって、あるユーザ状況を表現する特定のカバー又はポーチを所有することによって、移動テレコミュニケーション装置又は他の装置のような装置をポーチの中に置き、装置内に設けられたリーダによって物理データ・キャリアを読み取らせることが可能であり、その特定のポーチにより表現される状況に適切な動作設定を装置に採用させることが可能である。この物理データ・キャリアは、装置の電源供給部に、装置のバッテリ充電装置に、又はハンズ・フリー電話キット、自動車電話変換キットのような他の装置内に、又はユーザの衣服に含めることが可能である。したがって、本発明の装置による恩恵を受ける装置を、物理データ・キャリアを搬送するそのような装置の部分に単に提示することによって、到来する電話の呼のユーザ報知設定、グラフィック・ユーザ・インターフェース（ＧＵＩ）設定、音声ダイヤル選択、メッセージ再生設定、電話利用アクセス許否および電話ユーザ・ディレクトリ設定および入力のような動作設定がユーザの状況に適切であるように変更することが可能である。
【００１７】
装置が、押下式データ配信サービスからのデータを受信することが可能である場合に、本発明の装置を利用して、受信した情報が処理されるよう管理する設定を選択する。例えば、装置を利用して、押下式データ配信サービスで利用可能な到来する情報を選択的に選別する装置設定を選択し、ユーザに提示される情報を調整することが可能である。
【００１８】
本発明の第２の形態により提供される物理データ・キャリアは、本発明による装置で使用されるのに適切であり、前記装置の前記少なくとも１つの動作設定が実行されることに対応する情報を搬送する。
【００１９】
本発明の第３の形態により提供される相互電子装置アクセサリは、本発明による装置において使用される物理データ・キャリアを組み込み、前記データ・キャリアが、前記装置の前記少なくとも１つの動作設定が実行されることに対応する情報を搬送する。
【００２０】
本発明の第４の形態により提供されるシステムは、本発明による装置および本発明による物理データ・キャリアを組み込む。
【００２１】
本発明の第５の形態により提供される相互電子デバイスは、装置により実行される少なくとも１つの動作設定を有し、前記装置が：
物理データ・キャリアから情報を読み取る読み取り手段；
前記読み取り手段により前記キャリアから読み取った前記情報を受信し、読み取った情報を分析する処理手段；および
前記処理手段に応答し、前記少なくとも１つの動作設定を実行する制御手段；　を有する相互電子デバイスである。前記装置の選択的な部分は電子デバイスに組み込むことが可能である。
【００２２】
本発明の第６の形態により提供される方法は、相互電子デバイスの少なくとも１つの動作設定を実行する方法であって：
物理データ・キャリアから情報を読み取るステップ；
前記物理データ・キャリアから読み取った前記情報を処理し、読み取った情報を分析するステップ；および
分析した情報に応答して、前記相互電子デバイスの前記少なくとも１つの動作設定を実行するステップ
より成る方法である。
【００２３】
本方法は、更に、物理データ・キャリアに情報を書き込むステップより成り、その情報は、関連する物理データ・キャリアに、相互電子装置の少なくとも１つの設定を提供する。
【００２４】
これら及び他の形態並びに選択的な特徴は、従属請求項に記載される。参照されるものの開示内容は、リファレンスとして組み込まれる。
【００２５】
以下、添付図面を参照しながら例として本願実施例を説明する。
【００２６】
図１を参照するに、相互電子装置１が、ユーザ・キーパッド２およびユーザ・ディスプレイ３を有する移動テレコミュニケーション装置（移動電話機）の形式で提供されている。ユーザは、キーパッド２を用いて命令を入力することにより移動電話機を動作させることが可能であり、電話機の現在状況に関する情報がディスプレイ３によって提供される。移動電話機は、一般に、電話の呼の起動および受信、呼応答サービスの利用、テキスト・メッセージ伝送、ｅメールおよび無線アプリケーション・プロトコル（ＷＡＰ： ｗｉｒｅｌｅｓｓ ａｐｐｌｉｃａｔｉｏｎ ｐｒｏｔｏｃｏｌ）その他の適切なプロトコルを通じた他の情報へのアクセス、当業者に明白なものの総て、のようなテレコミュニケーション機能を提供する。装置には、更に、赤外線データ・リンク又はいわゆるブルートゥース・プロトコルを利用して設立されるリンクの形式で、更なる通信能力が与えられ得る。装置は、電子カレンダー、日記、１つ又はそれ以上のユーザ用ゲームその他の当業者に明らかな機能を有する。
【００２７】
移動電話機のような相互電子装置１では、一般に、装置が動作する形式を管理する装置設定をユーザが変更し得る。一例として、電話の呼の到来を示すために使用される報知の形式をユーザが変更し得る。報知の選択が、ユーザの好みに一致している場合には、ユーザは引き続きその可聴報知トーンを選択する。しかしながら、ユーザが実際の又は予想されるユーザの状況を考慮して、設定が行なわれ得る場合もある。例えば、ユーザが、比較的騒がしい環境の外に位置している場合には、利用可能な装置の音量設定の高いもので可聴報知を行なうことによって、電話呼の到来を示すように、ユーザは移動電話機を設定することが可能である。他方、ユーザが会議中であるならば、可視的な報知を行なわせることにより又は電話機を振動させることにより、ユーザは、電話呼の到来を示すように移動電話機を設定することが可能である。後者の指示の各々が好ましいのは、会議に参加している他の人々をほとんど妨害しないからである。ユーザは、ユーザがおかれている又はユーザが予期する環境又は状況に依存して装置の設定を行なう。
【００２８】
所与の状況に対して、複数の装置設定が提供され得る。ユーザ・キーパッド２を操作することによって、表示装置３に提示されるメニュー・システムをナビゲーションする従来の方法によって、ユーザはそれらの設定を制御し得る。各設定は、構築されたメニュー・システムの様々なメニュー内に位置しているので、ユーザはしばしばいくつかのキー押下を実行し、設定が位置しているメニューに到達し、更にキー押下することによってその設定を現実に変更する必要がある。いくつかの設定が変更される場合には、ユーザは更なるキー押下を行う必要がある。特に状況が頻繁に変わる場合にはそれら総てのプロセスを実行することは骨の折れる作業になる。
【００２９】
この問題に対処するため、相互電子装置１には装置２０が設けられ、設定を変更する必要のある度にメニュー構造で対話的な操作を行なうことなしに、装置およびユーザ設定を変更可能にするが、ユーザが望むのであればキーパッド２およびディスプレイ３を利用して設定を変更することも可能である。装置２０は、１つ又はそれ以上の物理データ・キャリア１０によって搬送される情報を読み取るリーダ２１を有する。本実施例では、物理データ・キャリアはタグの形式で設けられる。物理データ・キャリア１０をリーダ２１に提示すると、タグ１０からデータを読み取ることが可能になり、そのデータを利用して電子装置（電話機）１の１つ又はそれ以上の設定を変更又は実行する。
【００３０】
図２は、物理タグからの情報を読み取り、必要な装置設定の選択を引き起こさせる装置２０の機能要素を表現する。装置２０は、リーダ２１、処理手段２２および制御手段２３を有する。データはリーダ２１により物理データ・キャリア１０から読み取られ、このデータは処理手段２２に提供される。処理手段２２はそのデータを解釈（分析）して、もしあれば、なされるべき装置設定を行なう。これが終了すると、装置１に提供される出力制御信号２４と共に、処理手段２２は制御手段２３に対して、必要な装置設定を実行するよう命令する。
【００３１】
制御されるべき装置から離れて、プロセッシングのような所定の機能を実行することが可能であるので、装置２０は電子装置１の内側に全体的に又は部分的に設けられる。多くの場合、リーダ２１は装置１の一体的な一部として設けられる。
【００３２】
タグ１０により搬送されるデータは、例えば「リンガ音量レベル１０を選択せよ」のようなそれ自身が１つ又はそれ以上の装置設定を有するデータであり得る。この特定の例の場合、処理手段２２は、このデータを受信し、その装置設定を実行するのに必要な制御手段２３に対して適切な命令を提供することのみを要する。
【００３３】
他の形態にあっては、タグ１０により搬送されるデータは、タグの識別を支援する単なるデータであり得る。この場合、提供され得る手段は、特定のタグ識別子と１つ又はそれ以上の必要なデータ設定の間の関連付けを設定する手段である。使用に際しては、リーダ２１がタグ１０により搬送されたデータを読み取り、そのデータを処理手段２２に提供する。処理手段２２はそのデータ、この場合はタグ識別子データを取得して、格納手段２５に問い合わせを行ない、格納手段は、装置設定が特定のタグ識別子に関連付けられるように、タグ識別子データを１つ又はそれ以上の装置設定に関連付ける情報を保持する。問い合わせプロセスによる結果は、処理手段２２により利用され、特定のタグ識別子に関連する装置設定を設定し、その装置設定は選択又は実行されるべきものであり、処理手段２２は制御手段２３に適切な命令を提供する。制御手段２３は、出力制御信号２４を装置１に提供することによって、必要な装置設定を実行する。選択的に、処理手段２２および制御手段２３は、個別の存在として又は個別の機能要素として扱われ得る。しかしながら、処理手段２２および制御手段２３は一般に同一のデータ処理装置として実現される。
【００３４】
装置の格納手段２５は、装置の他の部分に設けられ又は装置から離して設けることが可能である。後者の場合、必要なタグおよび装置設定の関連性は、サービス・プロバイダ又は第三者によって管理される格納手段において遠隔的に維持されるようにすることが可能である。この手法を通じて、サービス・プロバイダは、所与の状況に対して適切に選択された装置設定を利用可能にすることが可能である。そのような選択の中で複数のものが利用可能な場合があり、各場合は所与の状況に対して適切である。ユーザはそのような選択肢に容易にアクセスすることが可能であり、それら自身の装置における変更を実行する。
【００３５】
関連性は、当業者に明らかなように、ルック・アップ・テーブルにより又は他の方法で保持される。
【００３６】
図３を参照するに、データ・タグ１０が移動電話キャリア又はポーチ３１に設けられている。（装置）移動電話機１がポーチ３１内に位置する場合に、タグが装置タグ・リーダ２１に提示されるように、タグがポーチに配置されている。特定のタグを特定のポーチに合わせることにより、電話機をそのポーチに位置付ける動作は、上述したプロセスを通じて、電話機にそのポーチのタグに関連付けられた総ての設定を採用させる。したがって、ユーザは、特定のポーチを、装置設定の特定の集合および関連する状況に関連付けることが可能になる。
【００３７】
ユーザは、各々がタグを有する複数のポーチを所有することが可能である。この場合、電話機を第１ポーチに挿入すると電話機に例えば仕事場に適切な複数の装置設定を採用させ、電話機を第２ポーチに挿入すると電話機に例えば通勤に適切な複数の装置設定を採用させ、電話機を第３ポーチに挿入すると電話機に社交的な環境に適切な複数の装置設定を採用させる等のように、ユーザはその装置を構築することが可能である。取り外し可能な又は交換可能なカバーを有する移動電話機の装備を提供し、異なるカバーを選択することによって、電話機の色および概観を変更可能にすることが知られている。一般に、ユーザは、現在又は将来の予測される環境を考慮して、ユーザの趣向により特定のケース部を選択するであろう。したがって、ユーザは、愉快な、しゃれた、実用的な等の形態のようなそれらの環境に適した概観を与えるカバーを選択するであろう。同様に、ユーザは、同様な種類の又は理由により、物理データ・キャリアを組み込むポーチを新たに選択することが可能である。しかしながら、ポーチを選択することは、所与の環境に対して電話機に適切な概観を採用させるだけではなく、電話機の装置設定を、その環境に適切なものに変更させることも可能にする。総てのポーチが同様な概観を有する場合、複数のポーチを利用して、個々のポーチのタグに関連する装置設定を実行することが可能である。上述した形式のカバーにタグを設けることも可能である。実際、任意の相互交換可能な装置要素または選択的な装置アクセサリにタグを設けることが可能である。
【００３８】
したがって、本願の概念は、例えばハンズ・フリー自動車電話キットのような他の装置アクセサリにも拡張され得る。通常そのようなキットは、受け台（ｃｒａｄｌｅ）または移動電話機を収容するようなものを含み、ハンズ・フリー操作に必要な様々な配線接続を提供する。受け台にタグ１０を包含させることによって、リーダ２１はタグから情報を受信し、これは、自動車電話操作におけるハンズ・フリーに適切な装置設定に変更する。そのような設定は、音声ダイヤル操作、視覚的な報知ではなく呼の可聴到来報知、ディスプレイ３に表示するよりはむしろテキスト・メッセージまたは受信したｅメール・メッセージを可聴形式の再生成すること等を動作可能にする。ユーザのヘッドホン・キットやバッテリ・チャージャのような他のアクセサリも、本願による設定を行なうことが可能である。
【００３９】
複数の電話ポーチを提供する場合に戻って、各々は、装置設定の特定のグループの選択を引き起こさせる自身のタグを有し、生じる１つの事項は、ユーザが１日に１以上の状況に遭遇し、各々が特定の装置設定を必要とし、この場合はユーザは、各々が予測された状況に対するものである複数の電話ポーチを持ち運ぶ必要がある。このことは必ずしも便利な選択肢ではないので、他の形態では、移動電話ポーチに１以上のタグが提供され、ユーザの制御の下で各々がタグ・リーダ２１により読み取られる。これは、２つ又はそれ以上のタグを搬送する移動可能なディスクを有するポーチを設けるようにして、様々な方法で行なわれ、ユーザにディスクを回転させ、選択されるタグをタグ・リーダに提示させ、特定の関連した装置設定の選択を導入させる。他の形態では、電話機ポーチに設けられた複数のタグの各々を選択的にイネーブル又はディセーブルすることが可能である。更なる他の形態では、ユーザが別々のタグの群（ｂｕｎｃｈ ｏｆ ｔａｇｓ）を搬送し、タグの任意の１つを電話機リーダに提示し、特定の関連する装置設定の選択を開始させる。他の形態では、複数のタグがポーチに取り付けられ、ユーザは様々なタグをタグ・リーダに任意に提示することを選択し得る。同様な手法を採用して、ユーザが搬送する必要のあるカバーの数、相互交換可能な装置要素およびアクセサリを減少させることが可能である。
【００４０】
電子装置はタグ・リーダの近辺においてタグの存否を周期的に検査し、検査が必要とされる頻度と検査による電力供給の要請との間の許容可能なトレード・オフに少なくとも部分的に管理される周期で行なわれる。不要なタグ読み取り事象を回避するため、タグがリーダの近傍にあること、または異なるタグがリーダの近傍に配置されたことを知っている場合には、ユーザはタグ読み取り事象を自ら開始する。そのような開始はキーボード３の適切な操作によってイネーブルされる。電話機が最初にオンに切り替えられた場合または電話機がアクセサリに接続された場合のような他の事象他の事象によっても、タグの読み取りは起動され得る。ポーチおよび／または装置１にマイクロ・スイッチまたは他の適切なセンサを設け、装置がポーチ内に位置することを検出する。
【００４１】
物理データ・キャリア（タグ）およびデータ・キャリア・リーダ（タグ・リーダ）は、多数の可能な形態をとることが可能であり、そのいくつかを説明する。タグおよびリーダの他の形態は、本発明の範囲から逸脱することなしに、当業者に明らかになるであろう。
【００４２】
第１の例は、基板に印刷されたバー・コードのように物理データ・キャリアをグラフィック・コードの形態で提供するものであり、バー・コード・リーダのようにデータ・キャリア・リーダをグラフィック・コード・リーダの形態で提供するものである。バー・コードおよびリーダ自体は一般的な事項である。バー・コード自身を提供するコストは非常に低く、キャリー・ポーチのような装置アクセサリにそのようなコードを包含させるコストは非常に低いであろう。しかしながら、バー・コードは固定される。バー・コードが、他のバー・コードと区別するためのみの情報を搬送する場合は、ユーザは装置の関連する手段をプログラムして、リーダにより特定のバー・コードが読み取られた場合に、必要な装置設定が行なわれることを保証する必要がある。バー・コードが変更され得ないことは、所与のバー・コードに関連する装置設定をユーザの要請に適合させることが可能である限り、問題ではない。装置アクセサリがバー・コードを有する物理データ・キャリアを搬送する形式のものである場合に、各アクセサリに対して、アクセサリに取り付けて使用する異なるバー・コードの選択肢を提供し、同一のバー・コードを有する１以上のアクセサリをユーザが所有することを回避する（ユーザが自ら選択することによって生じる場合を除く。）。このような手法は多数のバー・コードを必要とするであろうが、柔軟性が維持されるならば、明確な装置設定パラメータを搬送するバー・コードも使用され得る。
【００４３】
近年のパーソナル・コンピュータ技術の進歩により、自身のバー・コードを個々に印刷することが可能である。これは、アクセサリに提供された予め印刷されたバー・コードを利用することにユーザが制限されることを回避させ、上述したような１つまたはそれ以上の装置設定を有するバー・コード識別に関連するデータを必要とするのではなしに、各人が明確な１つまたはそれ以上の装置設定を特定する情報を搬送する形式のバー・コードを生成することを可能にする。
【００４４】
適切な物理データ・キャリアの他の形式は、無線周波数トランスポンダである。一般に、トランスポンダは、問い合わせの信号を受信したことに応答して信号を送信する装置である。トランスポンダはリーダによって問い合わせが行なわれ、それは問い合わせ信号を送信し、トランスポンダにより送信される応答を受信する。トランスポンダにより送信される情報は、使用されるトランスポンダの形式に依存して、識別子および／またはデータ・コードを包含することが可能である。信号は磁気的、電気的または電磁的伝播の形式で搬送される。トランスポンダは一般に「タグ」として知られており、タグは一般に３つのカテゴリに分類され、それらは：誘導的タグ、後方散乱タグおよび双方向タグである。
【００４５】
物理データ・キャリア技術の更なる他の形式は、接触型タグであり、タグおよびリーダの間でなされる電気的接触を利用するものである。そのようなタグの例は、ｉＢｕｔｔｏｎ（商標）であり、これはダラス・セミコンダクターズから入手可能である。一般に、タグは小さな底状のケースに設けられた回路より成るが（以下、「チップ」という。）、そのチップは、ユーザの選択に関する他のケースに別個に組み込むために利用することが可能である。このチップは固有の識別子を提供し、これは不揮発性の再書き込み可能な格納部に包含される。各チップは、リーダおよびチップの間で２つの電気的接触を確立することによって読み取られる。チップおよびリーダの間で接触を形成することによって、チップにリーダから電力が供給され、同じ接触を通じてチップから情報が読み取られる。チップの識別子を読み取るのに要する時間は、一般に数ミリ秒であるので、チップ（タグ）およびリーダの間の瞬間的な接触は、本発明による適切な動作を行なうのに充分である。リーダに置かれたタグの出現は、タグ引き出し電力を通じて検出される。タグがリーダ内に置かれた場合に生じるような電力の初期引き出しを利用して、タグの読み取りを起動させ、リーダを周期的にアクティブにする必要性を回避し、それはバー・コードおよびＲＦタグ形式を利用する場合のように、タグがリーダ内にあるか否かを単に検査するものである。したがって、接触形式のタグ技術を利用すると、他のタグ技術に比較して全体として低い電力消費をもたらすことが可能であり、供給電力を消費する移動体製品で有利である。また、接触形式の技術は低コストであり、タグはそれらを交換可能なアクセサリに包含させる。さらに、タグ・リーダは低コストで作成され得る。なぜなら、それらは適切な電気的接触の配置を要するに過ぎないからである。直列Ｉ／Ｏ機能を有する装置のチップセットの場合に、タグ・リーダの接点とチップセットとのインターフェースのためのコストは非常に低い。なぜなら、必要な付加的な素子は抵抗器より小さな量に過ぎないからである。
【００４６】
接触タグ・リーダの物理的形態は、接触タグ自身の物理的形態に依存し、タグおよびリーダの間の少なくとも一瞬の接触を行なうことの可能な任意の適切な接触形態を利用することが可能である。チップは、タグのデザインが何であれ埋め込まれることが可能であり、物理的なタグおよびタグ・リーダの設計が考慮される限りその可能性の数は大きい点に留意を要する。
【００４７】
使用することの可能なタグ技術の他の形式は、各自の共鳴周波数を有する受動的な読み取り専用の磁気的に結合された誘導ループを利用するタグのような、磁気ループ・タグである。これらは、低コストであり一般に利用可能である。平坦なループ・コイルが１５ｍｍずつの周囲サイズで設けられるが、ホロタグ（Ｈｏｌｏｔａｇ）ＬＦＭ　ＨＴ１２タグは直径１０ｍｍで１ｍｍの厚さを有し、何百もの異なるタグ識別子を提供するのに利用可能である。
【００４８】
本発明に利用するのに適切な他のデータ・キャリア技術には、チップ・カード、磁気ストリップ（ｍａｇｎｅｔｉｃ ｓｔｒｉｐｅ）等が含まれる。多くの場合、タグはロバスト（ｒｏｂｕｓｔ）であって、洗浄可能であることが望ましく、必要であればプラスチック内に封止されることも可能である。
【００４９】
本発明は、米国特許出願番号０９／６３５５４８による付加的な事項を考慮して利用することも可能であり、それは、２０００年８月１０日にフィリップス・エレクトロニクス北アメリカ・コーポレーションの名義で出願されており（代理人管理番号ＰＨ　ＵＳ０００１０７）、その教示するものは本願の優先権の基礎であり本願のリファレンスに組み込まれる。この出願は、電子装置のユーザに対してサービスを提供する方法および装置を記述し、特に移動電話のような移動体装置のユーザのためのサービスを提供するものである。移動体通信装置は、ビーコン近傍で送信される短い範疇で無線促進（ｆａｃｉｌｉｔａｔｉｏｎ）信号を受信する。促進信号は、その促進信号とサービスとの関連付けを導入する。しかしながら、ユーザはそのようなサービスの利用可能性について常に報知されないが、目下選択されているユーザ・プロファイル（ｐｒｏｆｉｌｅ）または状況に依存して条件付で報知される。促進信号に関連するサービスが、目下選択されているユーザ・プロファイルのサービスに合致するならば、ユーザにはその装置を通じてサービスに対する報知がなされ、例えば通信装置のディスプレイに形成されるテキスト・メッセージによって行なわれる。サービスがプロファイルに特定されたものに合致しないならば、ユーザに報知はなされない。ユーザ・プロファイルはプログラム可能であり、複数のプロファイルが形成され、目下の環境に依存して必要なプロファイルをユーザが選択することによって行なわれ得る。例えば、ユーザは、ショッピング・モードを動作可能にすることを包含する状況を特定することが可能であり−ショッピング動作に関連する促進信号は、近辺に所定の品物に関する報知をユーザに行なう。しかしながら、この場合において、装置の設定は、使用される報知トーンの形式のような装置自身の振る舞いを規定するのに加えて、利用可能なサービスがユーザの注意を喚起するよう管理するために使用される。
【００５０】
米国特許出願０９／６３５５４８に記載されているようなサービスおよび本発明による恩恵を享受する装置に関する上述した形態が、ユーザに提供されていることを想定する。ユーザは朝仕事に出かけて電車による通勤を選択する。出発に先立ってユーザは自身の通信装置（移動電話機）を、「通勤」の状況に対応する識別子を搬送するタグに適切な丈夫な保護ポーチ内に置く。早い時間において、到来する電話の呼の起動を低レベルの可聴報知にして電話機を振動させるように、ユーザは通勤に適切な多数の装置設定を選択する作業を実行する。また、ユーザは、移動中に興味のあるサービス・カテゴリを示す作業を実行する。そのようなサービスの例は、ローカルなトラベル・ニュースの放送や一般的な日々のニュース情報であり、その情報は装置により読み取り可能な手段によって配信される。したがって、ユーザが鉄道の駅に入るとそのような情報が利用可能になり、これは短い範疇のビーコンからの促進信号により示されるためであり、通信装置はそれ自身の情報に加えて、利用可能なユーザの注意する情報も取得する。利用可能であるが現在選択されているプロファイルによる１つ又は複数の趣向のカテゴリに合致しない任意の他の情報は、ユーザの注意を喚起しないであろう。これら総ての装置およびユーザ設定は、通信装置を丈夫な保護ポーチに配置させる単純な動作によって実行され、これは通信装置にポーチ内に位置するデータ・キャリアを読み取らせ、識別子の搬送により、「通勤」の状況の選択および関連する装置の設定を行なわせる。
【００５１】
ユーザが仕事場に到着したとする。ユーザはもはや最新のトラベル・ニュースに興味がなく、金融市場の目下の事象により興味がある。ユーザは通信装置を丈夫な搬送ケースから取り出し、より形式ばった（フォーマルな）軽量のポーチ内にそれを置く。軽量のポーチも物理データ・キャリアを有するが、「仕事」の状況に対応する異なる識別子のものである。再び、早い時点において、フラッシュ・ライトの形式の視覚的報知と共に、到来する電話の呼の起動を非常に低いレベルの可聴報知するように、仕事場に適切な多数の装置設定の中で選択する作業を実行する。ユーザは、興味のある１つ又はそれ以上のサービス・カテゴリ−目下の場合は金融市場を示す作業も実行する。通信装置は、情報それ自身だけでなく、金融市場情報の利用可能性についてもユーザの注意を喚起させる。以前のように、利用可能であるが目下選択されているプロファイルに従って指定された趣向の１つ又は複数のカテゴリに合致しない任意の他の情報は、ユーザの注意を喚起させないであろう。
【００５２】
最後に、仕事の後のユーザの社交的設定の状況を考察する。ユーザは最新のフット・ボールのスコアに興味があり、部屋中の全員に彼が移動体通信装置を所有していることを気付かせたいとする。この場合、ユーザは移動体通信装置を光る黄色いキャリー・ケース内に置き、これはベルトに設けるのに適している。光る黄色いキャリー・ケースは物理データ・キャリアであるがこのデータ・キャリアは、「社交的」状況に対応する異なる識別子を有する。早い時点で、ユーザは複数の装置設定を選択する作業を実行し、その設定は、到来する電話の呼の起動を、利用可能な高い音量のレベルで可聴報知させるような、その状況に適切であると考えられるものである。ユーザは、「社交的」状況において興味のあるサービス・カテゴリ−目下の場合はフット・ボール・スコアに関連するサービスを示す作業も実行する。ユーザは、興味のある他のサービスについても通知され、夜の間は適当な情報を受信し、その情報は例えば、次の３０分間に近辺のバーで販売促進価格のドリンクについての注意を喚起するものである。再び、総ての設定は、通信装置を光る黄色いポーチ内に置く単純な動作によって行なわれ、これは、通信装置にポーチ内に置かれたデータ・キャリアを読み取らせることを開始させ、「社交的」状況および関連する装置設定の選択を行なわせる識別子を搬送するものである。
【００５３】
本発明は、主に移動テレコミュニケーション装置の形式の電子装置に関する利用形態で説明されてきたが、このことは本願の限定ではなく、装置は、ページャ、パーソナル・ディジタル支援装置（ＰＤＡ）更にはコンピュータ装置等の形態をとることが可能である。状況およびプロファイルは、好適な装置設定を決定するものとして説明されたが、個人的設定としてより頻繁に考えられる他のパラメータ、例えばアドレス・ブック入力およびＷＡＰブラウザ・ブックマークを、その状況または目下選択されているプロファイルに依存して選択することも可能である。電話ジャケット（ｐｈｏｎｅ ｊａｃｋｅｔ）（又は他の装置アクセサリ）を装置に対する有線インターフェースに設けて、そのアクセサリがＳＩＭカードを搬送することを可能にし、または好ましい装置設定および押下式サービス選別（ｐｕｓｈ−ｔｅｃｈｎｏｌｏｇｙ ｓｅｒｖｉｃｅ ｆｉｌｔｅｒｉｎｇ）／コンフィギュレーション情報を包含するテーブルのようなものを搬送することを可能にする。有線インターフェースの例はシリアル・インターフェースである。
【００５４】
設定事項は装置のメモリに又はＳＩＭカードのような取り外し可能な格納部に記憶される。所与のユーザ・プロファイル又は状況に適切な設定は、ユーザ・インターフェースを通じて装置自身において修正可能である。設定は、修正可能にすることもできるし、コンピュータからダウンロードさせることも可能である。いずれにせよ、その変更は装置において起動されるが、実際の設定内容は完全に又は部分的に記憶され、中央データベースまたはサーバにおいて取り扱われる。
【００５５】
物理データ・キャリアの所定の形式は、格納されているデータの少なくともどれかになるようにプログラムされることが可能である。実際、キャリアは固有の識別子のような固定されたデータ、更なる識別情報のような装置に書き込むことの可能なデータその他の電子装置の動作を管理するのに適切なデータを含むことが可能である。
【００５６】
物理データ・キャリアは、着脱可能なカバー、ポーチ／ジャケット、アンテナ、バッテリ又はデバイス・アクセサリのような任意の適切な機能要素で搬送され得る。これらの各々は、色彩、手触り、形状、デザイン、テキストまたはグラフィックスを利用してユーザにより区別され、ユーザが、ユーザのプロファイル又は趣向内容に関連付けるべき所与の項目に迅速に結び付けることを可能にする。データ・キャリアは、実際の設定内容を格納することもできるし、および／または実行されるべき特定の設定を識別子に関連付けるプロセスを通じて、設定を実行させる識別子のみを搬送することも可能である。
【００５７】
実際、物理データ・キャリアは他の要素において搬送され得る。例えば、バッグが物理データ・キャリアを提供する場合に、電子装置がそのバッグ内に置かれると、その装置がデータ・キャリアを読み取り、特定の設定を採用するようにし得る。更に、会議場所又は会議机にデータ・キャリアを設けて、電子装置が会議場所にある又は会議机に置かれている場合に、装置がデータ・キャリアを読み出して特定の設定を採用するようにすることが可能である。
【００５８】
物理データ・キャリアは、衣服のポケットのような衣服内に設けることも可能であり、電子装置がポケット内にある場合に、装置がデータ・キャリアを読み取り、特定の設定を採用するようにすることが可能である。衣服内にそのようなポケットを複数設け、各ポケットに特定の装置設定を包含するようなデータ・キャリアを所有させることによって、各ポケットが特定のユーザの状況に対応するようにすることが可能である。一例において、所定のポケットに装置を置くことは、ユーザが忙しい状況にあり、邪魔されたくないことを示す。本発明は、ユーザの自然な動作によって選択されるところの装置の適切な設定を可能にする点に留意すべきである。例えば、物理データ・キャリアを有するバッグの中に装置を置くと、呼の到来する可聴報知音の音量を自動的に増加させることが可能である。同様に、物理データ・キャリアの用意された会議室の机に装置を置くと、呼の到来する可聴報知音の音量を小さく又はディセーブルにすることが可能である。このようにして、ユーザの自然な動作を通じてその状況に適切な装置設定を選択することが可能である。
【００５９】
以上の説明により、当業者であれば他の変形例についても明らかであろう。そのような変形は、システム、装置およびその部品を設計、製造および使用する分野で既に知られている特徴、および本願による特徴に代えて又はそれに加えて使用され得る特徴を包含し得る。
【図面の簡単な説明】
【図１】
図１は、本発明の装置に関連して設けられる相互電子装置を示す。
【図２】
図２は、本発明の装置の機能要素部分を表現する。
【図３】
図３は、相互電子装置を搬送するのに適切なケースを示し、このケースには本発明による動作用に構築された物理データ・キャリアが設けられる。
【国際公開パンフレット】
2004506357.tif 000003
2004506357.tif 000004
2004506357.tif 000005
2004506357.tif 000006
2004506357.tif 000007
2004506357.tif 000008
2004506357.tif 000009
2004506357.tif 000010
2004506357.tif 000011
2004506357.tif 000012
2004506357.tif 000013
2004506357.tif 000014
2004506357.tif 000015
2004506357.tif 000016
2004506357.tif 000017
2004506357.tif 000018
2004506357.tif 000019
2004506357.tif 000020
2004506357.tif 000021
2004506357.tif 000022
2004506357.tif 000023
2004506357.tif 000024
2004506357.tif 000025
2004506357.tif 000026
2004506357.tif 000027
【国際公開パンフレット（コレクトバージョン）】
2004506357.tif 000028
【国際公開パンフレット（コレクトバージョン）】
2004506357.tif 000029
【国際調査報告】
2004506357.tif 000030
2004506357.tif 000031
2004506357.tif 000032
2004506357.tif 000033
2004506357.tif 000034
2004506357.tif 000035